(57)【特許請求の範囲】
【請求項１】
自動車の車体の側面に設けられたミラーベースと、
前記ミラーベースに立設されたシャフトと、
前記シャフトに回動自在に取り付けられ、前記車体の後方を映すミラーが設けられたミラーハウジングと、を備えたアウターミラーであって、
前記ミラーベースの上端面と前記ミラーハウジングの下端面との間の隙間に露出した前記シャフトの外周面において、前記車体の前方側に面した領域には、軸断面が半円形状の凹部又は凸部が形成されていることを特徴とするアウターミラー。
【請求項２】
前記凸部は、前記シャフトの軸方向に沿って突設されたリブであることを特徴とする請求項１に記載のアウターミラー。
【請求項３】
前記凹部は、前記シャフトの軸方向に沿って凹設された溝部であることを特徴とする請求項１に記載のアウターミラー。
【発明の詳細な説明】
【技術分野】
【０００１】
本発明は、自動車のサイドドア付近に付設されるアウターミラーに関する。
【背景技術】
【０００２】
従来のアウターミラーは、自動車の車体の側面に設けられたミラーベースと、このミラーベースに立設されたシャフトと、このシャフトに回動可能に取り付けられ、車体の後方を映すミラーが設けられたミラーハウジングと、を主要部として構成されている。
【０００３】
このようなアウターミラーでは、ミラーベースに対してミラーハウジングを回動可能とするため、ミラーベースの上端面とミラーハウジングの下端面とが若干の隙間を空けて対向している。そのため、自動車の走行時には、ミラーベースとミラーハウジングとの間の隙間に進入した走行風によって風切り音が発生してしまう。
そこで、従来のアウターミラーでは、ミラーベースの上端面やミラーハウジングの下端面に形成した複数の窪みによって、走行風の気流を乱すことで、風切り音を低減させているものがある（例えば、特許文献１参照）。
【０００４】
【特許文献１】特開平１１−７８６９５号公報
【発明の開示】
【発明が解決しようとする課題】
【０００５】
しかしながら、ミラーベースの上端面やミラーハウジングの下端面に複数の窪みを形成した構成では、ミラーベースとミラーハウジングとの間の隙間に露出したシャフトの外周面に走行風が当たって発生する風切り音を低減することができなかった。
【０００６】
そこで、本発明では、前記した問題を解決し、ミラーベースとミラーハウジングとの間の隙間に露出したシャフトに走行風が当たることで発生する風切り音を低減することができるアウターミラーを提供することを課題とする。
【課題を解決するための手段】
【０００７】
前記課題を解決するため、本発明は、自動車の車体の側面に設けられたミラーベースと、前記ミラーベースに立設されたシャフトと、前記シャフトに回動自在に取り付けられ、前記車体の後方を映すミラーが設けられたミラーハウジングと、を備えたアウターミラーであって、前記ミラーベースの上端面と前記ミラーハウジングの下端面との間の隙間に露出した前記シャフトの外周面において、前記車体の前方側に面した領域には、軸断面が半円形状の凹部又は凸部が形成されていることを特徴としている。
【０００８】
この構成では、ミラーベースとミラーハウジングとの間の隙間に進入した走行風が、シャフトの外周面の凹部又は凸部に当たって反射したときに、凹部又は凸部で発生する圧力変動と、その他の領域で発生する圧力変動とでは位相差が生じるとともに、反射方向が分散されるため、圧力変動が打ち消し合わされることになる。したがって、ミラーベースとミラーハウジングとの間の隙間に露出したシャフトに走行風が当たることで発生する風切り音を低減することができる。
【０００９】
前記したアウターミラーにおいて、前記凸部は、前記シャフトの軸方向に沿って突設されたリブによって形成することができる。また、前記したアウターミラーにおいて、前記凹部は、前記シャフトの軸方向に沿って凹設された溝部によって形成することができる。
【発明の効果】
【００１０】
本発明のアウターミラーによれば、ミラーベースとミラーハウジングとの間の隙間に露出したシャフトに走行風が当たることで発生する風切り音を低減することができる。
【発明を実施するための最良の形態】
【００１１】
次に、本発明の実施形態について、適宜図面を参照しながら詳細に説明する。
なお、各実施形態の説明において、同一の構成要素に関しては同一の符号を付し、重複した説明は省略するものとする。また、以下の説明において、方向を示す「前後」「左右」、「上下」などの文言は、いずれも車体を基準としたものとする。
【００１２】
（第一実施形態）
図１に示すアウターミラー１は、自動車の車体のフロントサイドドアに付設される所謂ドアミラーであり、車体の側面に設けられたミラーベース１０と、このミラーベース１０に立設されたシャフト３０（図２参照）と、このミラーベース１０の上方に取り付けられ、車体の後方を映すミラー４０が設けられたミラーハウジング２０と、を備えている。
【００１３】
ミラーハウジング２０は、中空な箱状の樹脂部材であり、図２に示すように、シャフト３０に駆動ユニット（図示せず）を介して水平回動可能に取り付けられている。また、ミラーハウジング２０をミラーベース１０に対して回動可能とするため、ミラーベース１０の上端面１１と、ミラーハウジング２０の下端面２１とが若干の隙間Ｓを空けて対向している。
【００１４】
なお、第一実施形態のアウターミラー１のミラーベース１０、ミラーハウジング２０及び駆動ユニット（図示せず）は、各種公知の構成を用いているため、その詳細な説明については省略する。
【００１５】
シャフト３０は、図３に示すように、軸方向が垂直方向に配置された円筒状の樹脂部材又は金属部材であり、下部のベース部３１と、このベース部３１から上方に延びている支持部３２とが形成され、ベース部３１は支持部３２よりも拡径されている。また、ベース部３１の下端縁には全周に亘ってフランジ部３３が水平方向に突出している
このシャフト３０は、図２に示すように、ベース部３１のフランジ部３３がミラーベース１０の上端面１１に固着され、ベース部３１の上部及び支持部３２は、ミラーハウジング２０の下端面２１に形成された開口部２２を通過して、ミラーハウジング２０の内部空間に突出している。
【００１６】
図３に示すように、ベース部３１の下部の外周面には、フランジ部３３の上面からベース部３１の高さ方向の略中央部まで、シャフト３０の軸方向に延ばされた複数のリブ３１ａ・・・が突設されている。各リブ３１ａ・・・は、軸断面が半円形状の凸部であり、フランジ部３３の外周面よりも外側に突出しないように形成されている。
各リブ３１ａ・・・は、図４に示すように、シャフト３０の周方向に等間隔に並設されており、車体の前方側に面した半周の領域に形成されている。
ここで、シャフト３０を射出成形した場合には、シャフト３０を軸方向に移動させて金型から抜き取ることになる。前記したように、リブ３１ａを軸方向に沿って突設した場合には、シャフト３０を金型に対して軸方向に移動させたときに、リブ３１ａを金型からスムーズに外すことができる。さらに、リブ３１ａがフランジ部３３の外周面よりも外側に突出していないため、シャフト３０を金型から抜き取り易くなっている。
【００１７】
図２に示すように、ミラーベース１０にシャフト３０を立設し、このシャフト３０にミラーハウジング２０を取り付けたときには、シャフト３０の下部に形成された各リブ３１ａ・・・が、ミラーベース１０の上端面１１とミラーハウジング２０の下端面２１との間の隙間Ｓに露出した状態となる。
【００１８】
以上のように構成されたアウターミラー１では、次のような作用効果を奏する。
図２に示すミラーベース１０とミラーハウジング２０との間の隙間Ｓに進入した走行風が、シャフト３０の外周面のリブ３１ａに当たって反射したときに、リブ３１ａで発生する圧力変動と、その他の領域で発生する圧力変動とでは位相差が生じるとともに、反射方向が分散されるため、圧力変動が打ち消し合わされることになる。
したがって、ミラーベース１０とミラーハウジング２０との間の隙間Ｓに露出したシャフト３０に走行風が当たることで発生する風切り音を低減することができる。
【００１９】
以上、本発明の第一実施形態について説明したが、本発明は前記第一実施形態に限定されることなく、その趣旨を逸脱しない範囲で適宜に設計変更が可能である。
前記実施形態では、図４に示すように、軸断面が半円形状のリブ３１ａによって凸部が形成されている。矩形や鋭角に突出した突起部によって凸部を形成した場合には、突起部の角部に走行風が当たることで、風切り音（エッジトーン）が発生する可能性があるため、緩やかな曲面で凸部を形成している。
【００２０】
また、図５（ａ）に示すように、ベース部３１の外周面に複数の溝部３１ｂ・・・を凹設することで、風切り音を低減することもできる。この構成では、走行風がシャフト３０の外周面の溝部３１ｂに当たって反射したときに、溝部３１ｂで発生する圧力変動と、その他の領域で発生する圧力変動とでは位相差が生じるとともに、反射方向が分散されるため、圧力変動が打ち消し合わされる。したがって、シャフト３０に走行風が当たることで発生する風切り音を低減することができる。
なお、溝部３１ｂの形状は限定されるものではないが、溝部３１ｂをシャフト３０の軸方向に沿って形成した場合には、シャフト３０を射出成形したときに、シャフト３０を金型からスムーズに外すことができる。また、矩形や鋭角に窪んだ溝部を形成した場合には、溝部の角部に走行風が当たることで、風切り音（エッジトーン）が発生する可能性があるため、緩やかな曲面で溝部を形成している。
【００２１】
さらに、シャフト３０の外周面に凹凸を連続させた波形の凹凸部を形成し、この凹凸部によって風切り音を低減することもできる。
【００２２】
また、前記実施形態では、図３に示すように、ベース部３１と支持部３２とが一体化されているが、図５（ｂ）に示すように、ベース部３１を別体で形成してもよい。
また、前記実施形態では、図２に示すように、シャフト３０はミラーベース１０の上面に固着されているが、シャフト３０とミラーベース１０とを一体化してもよい。
【００２４】
（第二実施形態）
次に、第二実施形態のアウターミラーについて説明する。
第二実施形態のアウターミラー１では、図７に示すように、ミラーハウジング２０の下端面２１には、シャフト３０が挿通される開口部２２が形成されており、この開口部２２の内周面（開口縁）において、車体の前方側に対応する略半周の領域には、半円状の凹凸を連続させた波形の凹凸部２３が形成されている。
【００２５】
ここで、ミラーハウジング２０をシャフト３０に対して回動可能とするために、ミラーハウジング２０の開口部２２の内周面と、この開口部２２に挿通されたシャフト３０のベース部３１の外周面との間には、全周に亘って隙間が形成されている。
したがって、図６に示すミラーベース１０とミラーハウジング２０との間の隙間Ｓに進入した走行風が、シャフト３０の外周面に前方から当たって反射すると、その圧力変動が開口部２２の内周面に当たることになる。仮に、開口部２２の内周面が平坦であると、圧力変動が内周面に当たることで、風切り音が発生する可能性がある。
【００２６】
第二実施形態のアウターミラー１では、ミラーベース１０とミラーハウジング２０との間の隙間Ｓに進入した走行風がシャフト３０の外周面に当たることで発生した圧力変動が、ミラーハウジング２０の開口部２２の凹凸部２３に当たったときに、凹部で発生する圧力変動と凸部で発生する圧力変動とでは位相差が生じるとともに、反射方向が分散されるため、圧力変動が打ち消し合わされることになる。
したがって、第二実施形態のアウターミラー１では、シャフト３０の外周面に形成されたリブ３１ａ及びミラーハウジング２０の開口部２２の内周面に形成された凹凸部２３によって、走行風による圧力変動が大幅に低減されるため、ミラーベース１０とミラーハウジング２０との間の隙間Ｓに露出したシャフト３０に走行風が当たることで発生する風切り音を確実に低減することができる。
【００２７】
なお、前記実施形態では、図７に示すように、半円の凹凸を連続させることで凹凸部２３が形成されているが、凹凸部２３を形成する部位の形状は限定されるものではない。したがって、矩形や鋭角の凹凸を連続させて凹凸部２３を形成してもよいが、突起部の角部に走行風が当たることで、風切り音（エッジトーン）が発生する可能性があるため、緩やかな凹凸を連続させて凹凸部２３を形成することが望ましい。
【００２８】
また、前記実施形態では、半円の凹凸を連続させた凹凸部２３によって風切り音を低減しているが、開口部２２の内周面において、車体の前方側に対応する領域に、凹部又は凸部を形成し、走行風がシャフト３０の外周面に当たって発生した圧力変動が、凹部又は凸部に当たって打ち消し合わされることで、風切り音を低減させてもよい。
【００２９】
また、前記実施形態では、ミラーハウジング２０の開口部２２の内周面の上縁部から下縁部に亘って凹凸の溝を形成することで凹凸部２３が形成されているが、内周面に水平方向の段差を形成し、上段部又は下段部の何れかに凹凸を形成してもよい。この構成では、射出成形したミラーハウジング２０を金型から抜き取るときに、凹凸部２３を金型からスムーズに外すことができる。
【図面の簡単な説明】
【００３０】
【図１】第一実施形態のアウターミラーを示した正面図である。
【図２】第一実施形態のアウターミラーを示した側断面図である。
【図３】第一実施形態のシャフトを示した斜視図である。
【図４】第一実施形態のシャフトのベース部を示した上から見た図である。
【図５】第一実施形態のシャフトの他の構成を示した図で、（ａ）はシャフトの外周面に溝部を凹設した構成を上から見た図、（ｂ）は別体で形成されたベース部の斜視図である。
【図６】第二実施形態のアウターミラーを示した側断面図である。
【図７】第二実施形態のアウターミラーにおいて、ミラーハウジングの下端面を上から見た図である。
【符号の説明】
【００３１】
１      アウターミラー
１０    ミラーベース
１１    上端面
２０    ミラーハウジング
２１    下端面
２２    開口部
２３    凹凸部
３０    シャフト
３１    ベース部
３１ａ  リブ（凸部）
３１ｂ  溝部（凹部）
３２    支持部
３３    フランジ部
４０    ミラー
Ｓ      隙間
【図１】
0004644267.tif 000002
【図２】
0004644267.tif 000003
【図３】
0004644267.tif 000004
【図４】
0004644267.tif 000005
【図５】
0004644267.tif 000006
【図６】
0004644267.tif 000007
【図７】
0004644267.tif 000008